(57)【要約】【課題】施工時にジョイントを構成するナットが緩み水漏れするといった恐れを解消し、安全で資源的に有利な食器洗い機を提供することを目的とする。【解決手段】ジョイント１７の電磁給水弁１５側のナット１７ａの外周に対向させて回転自在にキャップ１８を設け、孔１８ａの内周にナット１７ａの外径より小さい径の突起１８ｃを形成するとともに、突起１８ｃを複数の溝１８ｄで円周方向に分割することで、キャップ１８をスパナーなどで挟んでも、ナット１７ａが緩められることはなく、また、いったん所定位置に取付けられると、突起１８ｃが電磁給水弁側のナット１７ａの側面１７ｃに係止されており、取外されることが困難であり、ナット１７ａが緩められて水漏れにいたる恐れを解消することができる。【選択図】図１
2008093086.tif 000002
【特許請求の範囲】
【請求項１】
食器を収納して洗浄する洗浄槽と、前記洗浄槽を内設した食器洗い機本体と、前記洗浄槽への給水を制御し前記食器洗い機本体の外に配置された電磁給水弁と、当該電磁給水弁と前記洗浄槽を連結する給水ホースと、前記電磁給水弁と水道管を連結するため両端に回転自在なナットを有するジョイントと、前記ジョイントの電磁給水弁側ナットの外周に対向させて回転自在なように孔を形成したキャップとを備え、当該キャップは、電磁給水弁側端面近傍の前記孔の内周に、前記電磁給水弁側ナナットの外径より小さい径の突起を形成するとともに、前記突起を円周方向に分割する複数の溝を備えた食器洗い機。
【請求項２】
キャップの孔に形成した突起を頂点より軸の両方向に延びた傾斜面で形成し、電磁給水弁側の傾斜面を水道管側の傾斜面より緩やかにした請求項１に記載の食器洗い機。
【請求項３】
電磁給水弁のジョイント側の端部に、キャップの電磁給水弁側外周を覆うカバー部を設けた請求項１または２に記載の食器洗い機。
【発明の詳細な説明】
【技術分野】
【０００１】
本発明は、電磁給水弁や給水ホースによって水道水を洗浄槽内に供給して、洗浄槽内に収納された食器類を洗浄する食器洗い機に関するものである。
【背景技術】
【０００２】
従来、洗浄槽内に収納された食器類を洗浄する食器洗い機においては、水道管から水を洗浄槽内に供給する手段として、食器洗い機本体に固着した電磁給水弁に給水ホースを接続し、給水ホースの水道管側先端にはワンタッチカプラー状のジョイントを取付け、給水ポンプを取付け可能とし、その給水ポンプに制御信号を送るための制御信号接続部を食器洗い機本体に設けている（例えば、特許文献１参照）。
【０００３】
上記参考文献１に開示された食器洗い機について図８を用いて説明する。図８に示すように、食器洗い機１は、内部に洗浄槽２を設けており、この洗浄槽２内へ食器洗い機本体３に固着された電磁給水弁４により水を供給するようにしている。電磁給水弁４には給水ホース５が接続され、給水ホース５の水道管６側先端にはワンタッチカプラー状のジョイント７を取付け、水道管６の替わりに給水ポンプ８を取付け可能とし、給水ポンプ８に制御信号を送るための制御信号接続部９を食器洗い機本体３に設けている。
【０００４】
上記構成により、水道が使用できない場合であっても、給水ポンプ８を給水ホース５の先端に取付けられたジョイント７に接続し、給水ホース５の通電用コード１０を制御信号接続部９に接続して、洗浄槽２内に食器類１１を入れ、洗浄槽２を食器洗い機本体３に収めて洗浄を開始すれば、電磁給水弁４と給水ポンプ８が動作して、あらかじめ溜めておいた水を洗浄槽２内に供給することができ、食器類１１の洗浄を行うことができるようになっている。
【特許文献１】特開２００６−１１０１２９号公報
【発明の開示】
【発明が解決しようとする課題】
【０００５】
しかしながら、上記特許文献１に開示された従来の食器洗い機の構成では、使用者や施工者によって、給水ポンプ８がジョイント７に取付けられたり、取外されたりすることになり、給水ホース５とジョイント７の接続部に力が加えられ、接続が緩み、ジョイント７部から水漏れする恐れがあるといった課題を有していた。また給水ポンプ８を使用しなくなっても食器洗い機本体３に制御信号接続部９が備えられていることになり、資源的に不利になるといった課題を有していた。
【０００６】
本発明は、前記従来の課題を解決するもので、施工時にジョイントを構成するナットが緩み水漏れするといった恐れを解消し、安全で資源的に有利な食器洗い機を提供することを目的とする。
【課題を解決するための手段】
【０００７】
食器を収納して洗浄する洗浄槽と、前記洗浄槽を内設した食器洗い機本体と、前記洗浄槽への給水を制御し前記食器洗い機本体の外に配置された電磁給水弁と、当該電磁給水弁と前記洗浄槽を連結する給水ホースと、前記電磁給水弁と水道管を連結するため両端に回転自在なナットを有するジョイントと、前記ジョイントの電磁給水弁側ナットの外周に対向させて回転自在なように孔を形成したキャップとを備え、当該キャップは、電磁給水弁側端面近傍の前記孔の内周に、前記電磁給水弁側ナットの外径より小さい径の突起を形成するとともに、前記突起を円周方向に分割する複数の溝を備えたもので、ジョイントの給水弁側ナットを給水弁に形成したネジ部に締め付けて固着した後、キャップを突起が電磁給水弁側に位置するようにジョイントの水道管側ナットに挿入していくと、キャップは突起が形成された溝によって外方向にたわみながら移動していき、さらに突起が電磁給水弁側ナットを越える位置まで押し込まれると、その後は、キャップを取外そうとしても、突起が電磁給水弁側ナットの側面で係止され容易には取外せないことになる。
【０００８】
すなわち、ジョイントの電磁給水弁側ナットは施工時に触れようとしても、電磁給水弁側ナットの外周に取付けたキャップが空回りするのみであり、ジョイントの電磁給水弁側ナットが緩み、使用中に電磁給水弁とジョイントを接続する電磁給水弁側ナットから水漏れするといった課題を解消することができる。
【０００９】
また、電磁給水弁はリード線によって常に接続されることから、従来例にみられたように予備的な制御信号接続部が不要となり、資源的にも有利なものにすることができる。
【００１０】
また、キャップの孔に形成した突起を頂点より軸の両方向に延びた傾斜面で形成し、電磁給水弁側の傾斜面を水道管側の傾斜面より緩やかにしたもので、キャップをジョイントの水道管側ナット側から挿入していく場合、キャップの孔に形成した突起がナットの外周と接触することになるが、キャップを進める方向の突起傾斜面は緩く形成していることから、傾斜面から受ける抵抗力は小さくなり、キャップの挿入力も小さなものとなる。
【００１１】
そして、キャップが所定位置に挿入された後、キャップを取外そうとした場合、突起がジョイントを構成する電磁給水弁側ナットの電磁給水弁側面で係止され、突起の水道管側すなわち取外す方向の傾斜面は大きな傾きで形成されていることから、抵抗力が大きくなり取外すことが困難となり、施工時に電磁給水弁側ナットを回そうとしても、ナットの外周を覆うキャップが空回りするだけで、電磁給水弁側ナットが緩められることはなく、水漏れの恐れを解消することができる。
【００１２】
さらに、電磁給水弁のジョイント側の端部に、キャップの電磁給水弁側外周を覆うカバー部を設けたもので、キャップの突起側を持ち上げて取外そうとしても、キャップの電磁給水弁側が電磁給水弁のカバー部で覆われていることから、突起を持ち上げてキャップを取外すことは困難となる。したがって、施工時に電磁給水弁側ナットが緩められて、水漏れするといった課題を解消することができる。
【発明の効果】
【００１３】
本発明の食器洗い機は、キャップに形成した突起が電磁給水弁側ナットの電磁給水弁側面を越えた位置までキャップをナットに押し込むと、キャップを取外そうとしても、突起が電磁給水弁側ナットの側面で係止され容易には取外せないことになり、ジョイントの電磁給水弁側ナットを施工時に触れようとしても、電磁給水弁側ナットの外周に取付けたキャップが空回りするのみであり、ジョイントの電磁給水弁側ナットが緩められ、使用中に電磁給水弁とジョイントを接続する電磁給水弁側ナットから水漏れするといった課題を解消することができる。
【発明を実施するための最良の形態】
【００１４】
第１の発明は、食器を収納して洗浄する洗浄槽と、前記洗浄槽を内設した食器洗い機本体と、前記洗浄槽への給水を制御し前記食器洗い機本体の外に配置された電磁給水弁と、当該電磁給水弁と前記洗浄槽を連結する給水ホースと、前記電磁給水弁と水道管を連結するため両端に回転自在なナットを有するジョイントと、前記ジョイントの電磁給水弁側ナットの外周に対向させて回転自在なように孔を形成したキャップとを備え、当該キャップは、電磁給水弁側端面近傍の前記孔の内周に、前記電磁給水弁側ナットの外径より小さい径の突起を形成するとともに、前記突起を円周方向に分割する複数の溝を備えたもので、ジョイントの給水弁側ナットを給水弁に形成したネジ部に締め付けて固着した後、キャップを突起が電磁給水弁側に位置するようにジョイントの水道管側ナットに挿入していくと、キャップは突起が形成された溝によって外方向にたわみながら移動していき、さらに突起が電磁給水弁側ナットを越える位置まで押し込まれると、その後は、キャップを取外そうとしても、突起が電磁給水弁側ナットの側面で係止され容易には取外せないことになる。
【００１５】
すなわち、ジョイントの電磁給水弁側ナットは施工時に触れようとしても、電磁給水弁側ナットの外周に取付けたキャップが空回りするのみであり、ジョイントの電磁給水弁側ナットが緩み、使用中に電磁給水弁とジョイントを接続する電磁給水弁側ナットから水漏れするといった課題を解消することができる。
【００１６】
また、電磁給水弁に制御信号を伝達するリード線は常に使用されることから、従来例にみられた予備的な制御信号接続部が不要となり、資源的にも有利なものにすることができる。
【００１７】
第２の発明は、特に第１の発明において、キャップの孔に形成した突起を頂点より軸の両方向に延びた傾斜面で形成し、電磁給水弁側の傾斜面を水道管側の傾斜面より緩やかにしたもので、キャップをジョイントを構成する水道管側ナットから挿入していく場合、キャップの孔に形成した突起がナットの外周と接触することになるが、キャップを進める方向の突起傾斜面は緩く形成していることから、傾斜面から受ける抵抗力は小さくなり、キャップの挿入力も小さいなものとなる。そして、キャップが所定位置に挿入された後、キャップを取外そうとした場合、突起がジョイントを構成する電磁給水弁側ナットの電磁給水弁側面で係止され、突起の水道管側すなわち取外す方向の傾斜面は大きな傾きで形成されていることから、抵抗力が大きくなり取外すことが困難となり、施工時に電磁給水弁側ナットを回そうとしても、ナットの外周を覆うキャップが空回りするだけで、電磁給水弁側ナットが緩められることはなく、水漏れの恐れを解消することができる。
【００１８】
第３の発明は、特に第１または第２の発明において、電磁給水弁のジョイント側の端部に、キャップの電磁給水弁側外周を覆うカバー部を設けたもので、キャップの突起側を持ち上げて取外そうとしても、キャップの電磁給水弁側が電磁給水弁のカバー部で覆われていることから、突起を持ち上げてキャップを取外すことは困難となる。したがって、施工時に電磁給水弁側ナットが緩められて水漏れするといった課題を解消することができる。
【００１９】
以下、本発明の実施の形態について、図面を参照しながら説明する。なお、従来例と同じ構成のものは、同一符号を付けてその説明を省略する。また、この実施の形態によって本発明が限定されるものではない。
【００２０】
（実施の形態１）
図１は、本発明の第１の実施の形態における食器洗い機が流し台に設置された状態を示す断面図、図２は、本発明の第１の実施の形態における食器洗い機の要部を示した側面図、図３（ａ）は同食器洗い機のキャップの形状を示した正面図、図３（ｂ）は、同キャップの形状を示した側面図、図４は、同キャップの組み込み方法を示した説明図である。
【００２１】
図１〜図４において、流し台１２内に設けられたスペースに設置される食器洗い機１３には、食器類１１を収納して洗浄する洗浄槽２を内設した食器洗い機本体１４を備えている。食器洗い機本体１４の外に配置され、洗浄槽２への給水を制御する電磁給水弁１５は、電磁給水弁１５と水道管１６を連結するための回転自在なナット１７ａ、１７ｂを両端に備えたジョイント１７で、ナット１７ａで電磁給水弁１５と、ナット１７ｂで水道管１６とそれぞれ連結されている。そして、電磁給水弁１５の他端は給水ホース５に接続され、洗浄槽２内に連通されている。ジョイント１７の電磁給水弁１５側のナット１７ａの外周には、それに対向させて回転自在なように孔１８ａを形成したキャップ１８を配置している。
【００２２】
このキャップ１８の形状およびジョイント１７への組み込み方法について以下に説明する。図３に示すように、キャップ１８は、全体形状としては中央部に貫通する孔１８ａを有する略円筒状に形成されている。キャップ１８に形成した孔１８ａの電磁給水弁側側面１８ｂの近傍の孔１８ａの内周に、電磁給水弁１５側のナット１７ａの外径Ｘより小さい径Ｙの突起１８ｃを形成し、さらに突起１８ｃを円周方向に分割する溝１８ｄを形成している。図３に示す実施例では、突起１８ｃの一部を孔１８ａの内周よりさらに内側に突出させた形状としているが、突起１８ａの円周方向の幅全体に亘って内側に突出させてもよい。要は、突起１８ｃの内径Ｙが電磁給水弁１５側のナット１７ａの外径Ｘより小さく形成され、かつ、突起１８ｃが複数の溝１８ｄにより分割され、外側方向に弾性変形できるように構成されていればよい。
【００２３】
電磁給水弁１５は食器洗い機本体１４内の制御部と接続されているリード線１９によって制御信号を受けて動作させることができる。この電磁給水弁１５の一端にはネジ部１５ａが形成されている。ジョイント１７のナット１７ａを電磁給水弁１５のネジ部１５ａにねじ込み、ジョイント１７を電磁給水弁１５に固着した後、図４に示したようにキャップ１８を図中の矢印で示す方向からジョイント１７に挿入していくと、キャップ１８に形成された突起１８ｃがナット１７ｂの外周部分で溝１８ｄを設けることによって有された弾性によってたわみ、ナット１７ｂ、１７ａの外径を乗り上げながら移動していき、突起１８ｃが電磁給水弁側ナット１７ａの電磁給水弁側の側面１７ｃに達すると、突起１８ｃがナット１７ａの外周から受ける抵抗から解放され、たわみがなくなり突起１８ｃが初期の径Ｘに戻るように構成したものである。
【００２４】
以上のように構成された食器洗い機１３について、以下にその動作、作用について説明する。食器洗い機１３を流し台１２内に設けられたスペースに設置する場合、ジョイント１７を水道管側のナット１７ｂ側で水道管１６と接続することになるが、ナット１７ｂを水道管１６とネジ込み接続する時に、誤って電磁給水弁側のナット１７ａを緩めてしまう恐れがあるが、本実施の形態では、キャップ１８はジョイント１７に取り付けられた状態で電磁給水弁１５側のナット１７ａの外周に回転自在なように取付けられていることから、キャップ１８をスパナーなどで挟んでも、キャップ１８が空回りするだけで、ナット１７ａが緩められることはない。
【００２５】
またキャップ１８の孔１８ａ内に突起１８ｃを形成していることから、いったん所定位置に取付けられると、突起１８ｃが電磁給水弁側のナット１７ａの側面１７ｃに係止されており、取外されることが困難であることから、ナット１７ａが緩められて水漏れにいたる恐れを解消することができる。
【００２６】
食器洗い機１３の洗浄槽２に食器類１１を入れて洗浄を開始すれば、電磁給水弁１５にリード線１９を通じて開信号が伝達され、水道水が水道管１６から流れだし、ジョイント１７、電磁給水弁１５、給水ホース５を通じて、洗浄槽２に設けられた給水口２ａから洗浄槽２内に流れこみ、ポンプ２０によって洗浄槽２内の水道水を循環させながら食器類１１を洗浄することができる。
【００２７】
以上のように本実施の形態によれば、ジョイント１７を構成するナット１７ａの外周に取付けられたキャップ１８は、ナット１７ａ上を空回りし、また孔１８ａに形成された突起１８ｃが電磁給水弁１５側の側面１７ｃに係止されて取外すことが困難なことから、施工時にナット１７ａが緩められて水漏れするといった恐れを解消することができる。また、従来例にみられたような制御信号接続部を必要としないことから資源的に有利なものとなる。
【００２８】
（実施の形態２）
図５は、本発明の第２の実施の形態における食器洗い機のキャップの断面図である。図５に示すキャップの断面は、図３（ａ）においてＺ−Ｚで示す断面を示している。図６（ａ）、図６（ｂ）はキャップに作用する力を示した側面図であり、図６（ａ）は取付け時を示し、図６（ｂ）は取り外し時を示している。
【００２９】
本実施の形態は、図５〜図６に示すように、キャップ１８の孔１８ａに形成した突起１８ｃを、その頂点より中心軸１８ｅの両方向にそれぞれ延びた傾斜面１８ｆ、１８ｇを有する断面形状に形成し、電磁給水弁１５側の傾斜面１８ｆを水道管１６側の傾斜面１８ｇより傾斜を緩やかにする構成としたものである。他の構成は上記実施の形態１と同じであり、詳細な説明は省略する。
【００３０】
以上のように構成された食器洗い機についてその動作、作用を説明する。キャップ１８をジョイント１７を構成する水道管側のナット１７ｂから挿入していく場合、キャップ１８の孔１８ａに形成した突起１８ｃがナット１７ｂ、１７ａの外周と接触することになるが、キャップ１８を進める方向の突起１８ｃの傾斜面１８ｆは緩く形成していることから、図６（ａ）中の矢印Ａで示す傾斜面１８ｆから受ける抵抗力は小さくなり、キャップ１８ｆの挿入力も小さなものとなる。
【００３１】
しかし、キャップ１８が突起１８ｃで電磁給水弁側のナット１７ａの側面１７ｃに係止された所定位置に挿入された後、キャップ１８を取外そうとした場合、突起１８ｃが傾斜面１８ｇでジョイント１７の電磁給水弁側のナット１７ａの電磁給水弁側の側面１７ｃで係止され、突起１８ｃの水道管１６側すなわち取外す方向の傾斜面１８ｇは大きな傾きで形成されていることから、図６（ｂ）中の矢印Ｂで示す抵抗力が大きくなり取外すことが困難となり、施工時に電磁給水弁側ナット１７ａを回そうとしても、ナット１７ａの外周を覆うキャップ１８が空回りするだけで、電磁給水弁側のナット１７ａが緩められることはなく、水漏れの恐れを解消することができる。
【００３２】
（実施の形態３）
図７は、本発明の第３の実施の形態における電磁給水弁周辺を示した側面図である。キャップ１８の電磁給水弁１５側の外周１８ｈを電磁給水弁１５のジョイント１７側の端部に形成されたカバー部１５ｂで覆う構成としたものである。他の構成は上記実施の形態１と同じであり、詳細な説明は省略する。
【００３３】
以上のように構成された食器洗い機について、その動作、作用を説明する。キャップ１８の突起１８ｃ側を持ち上げてキャップを取外そうとしても、電磁給水弁１５のカバー１５ｂでキャップ１８の突起１８ｃ部が覆われていることから、突起１８ｃを持ち上げてキャップ１８を取外すことは困難となる。したがって、施工時に電磁給水弁１５側のナット１７ａが緩められて水漏れする恐れがあるといった課題を確実に解消することができる。
【産業上の利用可能性】
【００３４】
以上のように、本発明にかかる食器洗い機は、使用中に電磁給水弁とジョイントを接続する電磁給水弁側ナットから水漏れすることを防止することが可能となるので、電磁給水弁が機器本体の外に配置された食器洗い機等として有用である。
【図面の簡単な説明】
【００３５】
【図１】本発明の第１の実施の形態における食器洗い機が流し台に設置された状態を示した断面図
【図２】同食器洗い機の要部を示した側面図
【図３】（ａ）同食器洗い機のキャップの形状を示した正面図（ｂ）同キャップの形状を示した側面図
【図４】同食器洗い機のキャップの組み込み方法を示した説明図
【図５】本発明の第２の実施の形態における食器洗い機のキャップを示す断面図
【図６】（ａ）同キャップに取り付け時に作用する力を示した側面図（ｂ）同キャップに取り外し時に作用する力を示した側面図
【図７】本発明の第３の実施の形態における食器洗い機の電磁給水弁周辺を示す側面図
【図８】従来の食器洗い機を示す断面図
【符号の説明】
【００３６】
２  洗浄槽
５  給水ホース
１３  食器洗い機
１４  食器洗い機本体
１５  電磁給水弁
１５ａ  ネジ部
１５ｂ  カバー部
１６  水道管
１７  ジョイント
１７ａ、１７ｂ  ナット
１７ｃ  側面
１８  キャップ
１８ａ  孔
１８ｂ  側面
１８ｃ  突起
１８ｄ  溝
１８ｅ  軸
１８ｆ、１８ｇ  傾斜面
１８ｈ  外周
Ｘ  外径
Ｙ  径
【図１】
2008093086.tif 000003
【図２】
2008093086.tif 000004
【図３】
2008093086.tif 000005
【図４】
2008093086.tif 000006
【図５】
2008093086.tif 000007
【図６】
2008093086.tif 000008
【図７】
2008093086.tif 000009
【図８】
2008093086.tif 000010